(57)【特許請求の範囲】
【請求項１】
用紙を選択的に給紙する第１給紙部と第２給紙部とを有し、前記第１給紙部によって給紙された用紙を第１用紙搬送路に沿って用紙搬送方向下流の共通用紙搬送路に向けて搬送し、一方、前記第２給紙部によって給紙された用紙を第２用紙搬送路に沿って前記共通用紙搬送路に向けて搬送する用紙搬送装置において、
前記第１用紙搬送路に沿って固定設置された第１用紙ガイド板と、
前記第１用紙搬送路を挟んで前記第１用紙ガイド板と対向して回動可能に設置され、且つ、人手によって開閉操作される第２用紙ガイド板と、
前記第１用紙搬送路よりも内側に設定された前記第２用紙搬送路に沿って固定設置された第３用紙ガイド板と、
前記第２用紙搬送路を挟んで前記第３用紙ガイド板と対向し、且つ、前記第２用紙ガイド板にも対向して回動可能に設置された第４用紙ガイド板と、
前記第２用紙ガイド板の開閉動作に連動して前記第４用紙ガイド板を開閉させる連動手段とを備え、
前記連動手段は、
前記第４用紙ガイド板に取り付けられた連結部材と、
前記第２用紙ガイド板と前記第４用紙ガイド板との間に設置された軸に回動可能に軸支され、且つ、一端側が前記連結部材と嵌合し、他端側には、前記第２用紙ガイド板に形成されたカム部に対して接離するカムフォロワーを有するリンク部材とを具備することを特徴とする用紙搬送装置。
【請求項２】
用紙を選択的に給紙する第１給紙部と第２給紙部とを有し、前記第１給紙部によって給紙された用紙を第１用紙搬送路に沿って用紙搬送方向下流の共通用紙搬送路に向けて搬送し、一方、前記第２給紙部によって給紙された用紙を第２用紙搬送路に沿って前記共通用紙搬送路に向けて搬送する用紙搬送装置において、
前記第１用紙搬送路に沿って固定設置された第１用紙ガイド板と、
前記第１用紙搬送路を挟んで前記第１用紙ガイド板と対向して回動可能に設置され、且つ、人手によって開閉操作される第２用紙ガイド板と、
前記第１用紙搬送路よりも内側に設定された前記第２用紙搬送路に沿って固定設置された第３用紙ガイド板と、
前記第２用紙搬送路を挟んで前記第３用紙ガイド板と対向し、且つ、前記第２用紙ガイド板にも対向して回動可能に設置された第４用紙ガイド板と、
前記第２用紙ガイド板の開閉動作に連動して前記第４用紙ガイド板を開閉させる連動手段とを備え、
前記連動手段は、
前記第２用紙ガイド板に形成したカム部と、
前記第４用紙ガイド板に取り付けた連結部材と、
前記第２用紙ガイド板と前記第４用紙ガイド板との間に設置した軸に回動可能に軸支されており、前記軸を介した一端側に形成した長孔内に前記連結部材が該長孔の長手方向に移動可能に嵌め込まれていると共に、前記軸を介した他端側に前記カム部に接離するカムフォロワーを取り付けたリンク部材とを具備し、
前記第２用紙ガイド板の開き動作に伴って、前記カムフォロワーが前記カム部から離間したときに前記リンク部材を介して前記第４用紙ガイド板を開かせる一方、前記第２用紙ガイド板の閉じ動作に伴って、前記カムフォロワーが前記カム部に接したときに前記リンク部材を介して前記第４用紙ガイド板を閉じさせることを特徴とする用紙搬送装置。
【請求項３】
前記第２用紙ガイド板は、前記第４用紙ガイド板に向かって押圧部が形成されていると共に、前記第４用紙ガイド板と対向して前記カム部として凹曲線カム部と該凹曲線カム部の下方に連接して水平カム部とが形成されており、
更に、前記第４用紙ガイド板は、前記第２用紙ガイド板に向かって被押圧部が形成されており、
前記第２用紙ガイド板の閉じ動作に伴って、前記カムフォロワーが前記凹曲線カム部に接しているときに前記リンク部材を介して前記第４用紙ガイド板を閉じ方向に回動させるも、前記カムフォロワーが前記凹曲線カム部から前記水平カム部に接したときに前記リンク部材を介して前記第４用紙ガイド板の回動が一時停止され、その後、前記第２用紙ガイド板に形成した前記押圧部で前記第４用紙ガイド板に形成した前記被押圧部を押圧することで前記第４用紙ガイド板を閉じることを特徴とする請求項２に記載の用紙搬送装置。
【請求項４】
用紙を選択的に給紙する第１給紙部と第２給紙部とを有し、前記第１給紙部によって給紙された用紙を第１用紙搬送路に沿って用紙搬送方向下流の共通用紙搬送路に向けて搬送し、一方、前記第２給紙部によって給紙された用紙を第２用紙搬送路に沿って前記共通用紙搬送路に向けて搬送する用紙搬送装置において、
前記第１用紙搬送路に沿って固定設置された第１用紙ガイド板と、
前記第１用紙搬送路を挟んで前記第１用紙ガイド板と対向して回動可能に設置され、且つ、人手によって開閉操作される第２用紙ガイド板と、
前記第１用紙搬送路よりも内側に設定された前記第２用紙搬送路に沿って固定設置された第３用紙ガイド板と、
前記第２用紙搬送路を挟んで前記第３用紙ガイド板と対向し、且つ、前記第２用紙ガイド板にも対向して回動可能に設置された第４用紙ガイド板と、
前記第２用紙ガイド板の開閉動作に連動して前記第４用紙ガイド板を開閉させる連動手段とを備え、
前記第２用紙ガイド板の開閉動作に連動して、前記第４用紙ガイド板に取り付けられたカムフォロワーが前記第２用紙ガイド板に形成されたカム部に接離することで前記第４用紙ガイド板が開閉されることを特徴とする用紙搬送装置。
【発明の詳細な説明】
【技術分野】
【０００１】
本発明は、第１，第２給紙部によって選択的に給紙された用紙を用紙搬送方向下流に向けて搬送する最中に用紙ジャムが発生した場合に、ジャム用紙を簡単な操作により装置筐体の外部に容易に取り出すことができる用紙搬送装置に関する。
【背景技術】
【０００２】
一般的に、用紙を搬送する用紙搬送装置は、用紙に画像や文字を印刷する印刷装置や、用紙に画像や文字を複写する複写機などの画像形成装置に適用されている。
【０００３】
上記した画像形成装置は、用紙を給紙する給紙部と、用紙上に画像を形成する画像形成部と、画像形成済みの用紙を排紙する排紙部と、各部を全体的に制御する制御部とを装置筐体内に少なくとも備えて構成されている。
【０００４】
この画像形成装置において、用紙を給紙部から画像形成部に向けて搬送している最中に、何らかの原因で用紙ジャムが発生する場合があり、これに伴ってジャム用紙を装置筐体の外部に容易に取り出すことができるシート搬送装置（用紙搬送装置に相当）がある（例えば、特許文献１参照）。
【０００５】
ここで、上記した特許文献１を参照して、この特許文献１に開示されたシート搬送装置について、図１８を用いて簡略に説明する。
【０００６】
図１８に示す如く、特許文献１に開示された従来のシート搬送装置１００では、この装置１００内の下方部位に、用紙Ｐを複数積載した第１給紙トレイ１０１と、用紙Ｐを複数積載した第２給紙トレイ１０２とが上段と下段とに分かれて設置されている。
【０００７】
そして、第１，第２給紙トレイ１０１，１０２内に積載された複数の用紙Ｐのうちで最上位の用紙Ｐが第１，第２給紙トレイ１０１，１０２と対応して設置された給紙ローラ１０３，１０４により選択的に給紙されている。
【０００８】
また、第１給紙トレイ１０１の上方には、凸曲面状の第１湾曲部１０５ａを左方に形成した第１ガイド部材１０５が固定設置されている。
【０００９】
また、第１ガイド部材１０５と第１搬送路ＨＲ１を挟んで第２ガイド部材１０６がこの下端側に設けた第１軸１０７を中心にして回動可能に設置されており、且つ、この上端側に設けた円柱部１０８が第１ガイド部材１０５の上方でシート幅方向へと外れて形成した切り欠き部１０５ｂに接離自在になっている。
【００１０】
この第２ガイド部材１０６は、第１ガイド部材１０５に形成した凸曲面状の第１湾曲部１０５ａと対向して凹曲面状の第２湾曲部１０６ａが内側に形成されていると共に、凹曲面状の第２湾曲部１０６ａとは反対の外側に凸曲面状の第３湾曲部１０６ｂが形成されている。
【００１１】
また、第２ガイド部材１０６と第２搬送路ＨＲ２を挟んで第３ガイド部材１０９がこの下端側に設けた第２軸１１０を中心にして回動可能に設置されており、且つ、第３ガイド部材１０９のうちでシート幅方向へと外れた上端部１０９ａが第２ガイド部材１０６の上端側に設けた円柱部１０８に接離自在になっている。
【００１２】
この第３ガイド部材１０９は、第２ガイド部材１０６に形成した凸曲面状の第３湾曲部１０６ｂと対向して凹曲面状の第４湾曲部１０９ｂが内側に形成されている。
【００１３】
上記のように、第１，第２給紙トレイ１０１，１０２に対応して用紙Ｐの搬送をガイドする第１，第２，第３ガイド部材１０５，１０６，１０９を設けたときの動作は、下記のようになる。
【００１４】
即ち、上段に設置された第１給紙トレイ１０１から給紙ローラ１０３により給紙された用紙Ｐは、第１ガイド部材１０５の第１湾曲部１０５ａと、第２ガイド部材１０６の第２湾曲部１０６ａとの間に設定された第１搬送路ＨＲ１を通って上方に向かい、第１ガイド部材１０５の上方部位に設定された合流部１１１を経て不図示の記録部に搬送されている。
【００１５】
一方、下段に設置された第２給紙トレイ１０２から給紙ローラ１０４により給紙された用紙Ｐは、第２ガイド部材１０６の第３湾曲部１０６ｂと、第３ガイド部材１０９の第４湾曲部１０９ｂとの間に設定された第２搬送路ＨＲ２を通って上方に向かい、合流部１１１を経て不図示の記録部に搬送されている。
【００１６】
上記構成により回動可能な第２，第３ガイド部材１０６，１０９が閉じられているときに、第２，第３ガイド部材１０６，１０９のうちでシート幅方向へと外れた各上端部側が円柱部１０８により位置規制されている。これにより、第１，第２ガイド部材１０５，１０６間及び第２，第３ガイド部材１０６，１０９間の各ガイド幅を一定に維持することができる。
【先行技術文献】
【特許文献】
【００１７】
【特許文献１】特開２０１３−１９９３５０号公報
【発明の概要】
【発明が解決しようとする課題】
【００１８】
ところで、特許文献１に記載のシート搬送装置１００では、第１，第２搬送路ＨＲ１，ＨＲ２中で何らかの原因により用紙ジャムが発生した場合に、ユーザ又はサービスマン（以下、ユーザのみ記す）は第２，第３ガイド部材１０６，１０９を第１，第２軸１０７，１１０を中心にしてそれぞれ反時計方向に回動させて開き、ジャム用紙を装置１００の外に取り出すことができる。
【００１９】
この際、第２ガイド部材１０６と第３ガイド部材１０９との間に設定された第２搬送路ＨＲ２内で詰まった用紙Ｐを除去する場合には、第３ガイド部材１０９のみを１動作で開くことによりジャム用紙を除去することができる。
【００２０】
しかしながら、第１ガイド部材１０５と第２ガイド部材１０６との間に設定された第１搬送路ＨＲ１内で詰まった用紙Ｐを除去する場合には、第３ガイド部材１０９を開いた後に、第２ガイド部材１０６を開くことになるので、ユーザは第２，第３ガイド部材１０６，１０９を２動作で開くことになり、ジャム用紙を除去する操作がわずらわしいという問題が生じている。
【００２１】
また、第１搬送路ＨＲ１内の上方部位で用紙ジャムが発生している場合に、第３ガイド部材１０９を開いても、ジャム用紙が第２ガイド部材１０６によって隠されてしまうのでジャム用紙が見えにくいなどの問題もある。
【００２２】
そこで、用紙を選択的に給紙する第１，第２給紙部を有し、第１給紙部によって給紙された用紙を第１用紙搬送路に沿って下流の共通用紙搬送路に向けて搬送し、一方、第２給紙部によって給紙された用紙を第２用紙搬送路に沿って下流の共通用紙搬送路に向けて搬送する際に、各用紙搬送路中で用紙ジャムが発生した場合に、ジャム用紙を簡単な操作により装置筐体の外部に容易に取り出すことができる用紙搬送装置を提供することを目的とする。
【課題を解決するための手段】
【００２３】
本発明は上記課題に鑑みてなされたものであり、第１の発明は、用紙｛図５に示したＰ（Ｐ１，Ｐ２）｝を選択的に給紙する第１給紙部（１１）と第２給紙部（１５）とを有し、前記第１給紙部（１１）によって給紙された用紙（Ｐ１）を第１用紙搬送路（ＰＰ１）に沿って用紙搬送方向下流の共通用紙搬送路（Ｐｋ）に向けて搬送し、一方、前記第２給紙部（１５）によって給紙された用紙（Ｐ２）を第２用紙搬送路（ＰＰ２）に沿って前記共通用紙搬送路（Ｐｋ）に向けて搬送する用紙搬送装置（１０）において、
前記第１用紙搬送路（ＰＰ１）に沿って固定設置された第１用紙ガイド板（３１）と、
前記第１用紙搬送路（ＰＰ１）を挟んで前記第１用紙ガイド板（３１）と対向して回動可能に設置され、且つ、人手（Ｈ）によって開閉操作される第２用紙ガイド板（３２）と、
前記第１用紙搬送路（ＰＰ１）よりも内側に設定された前記第２用紙搬送路（ＰＰ２）に沿って固定設置された第３用紙ガイド板（４１）と、
前記第２用紙搬送路（ＰＰ２）を挟んで前記第３用紙ガイド板（４１）と対向し、且つ、前記第２用紙ガイド板（３２）にも対向して回動可能に設置された第４用紙ガイド板（４２）と、
前記第２用紙ガイド板（３２）の開閉動作に連動して前記第４用紙ガイド板（４２）を開閉させる連動手段（６０）とを備えたことを特徴とする用紙搬送装置（１０）である。
【００２４】
また、第２の発明は、上記した第１の発明の用紙搬送装置（１０）において、
前記連動手段（６０）は、
前記第２用紙ガイド板（３２）に形成したカム部（３２ｇ，３２ｈ）と、
前記第４用紙ガイド板（４２）に取り付けた連結部材（４４）と、
前記第２用紙ガイド板（３２）と前記第４用紙ガイド板（４２）との間に設置した軸（２４）に回動可能に軸支されており、前記軸（２４）を介した一端側に形成した長孔（６１ａ）内に前記連結部材（４４）が該長孔（６１ａ）の長手方向に移動可能に嵌め込まれていると共に、前記軸（２４）を介した他端側に前記カム部（３２ｇ，３２ｈ）に接離するカムフォロワー（６２）を取り付けたリンク部材（６１）とを具備し、
前記第２用紙ガイド板（３２）の開き動作に伴って、前記カムフォロワー（６２）が前記カム部（３２ｇ，３２ｈ）から離間したときに前記リンク部材（６１）を介して前記第４用紙ガイド板（４２）を開かせる一方、前記第２用紙ガイド板（３２）の閉じ動作に伴って、前記カムフォロワー（６２）が前記カム部（３２ｇ，３２ｈ）に接したときに前記リンク部材（６１）を介して前記第４用紙ガイド板（４２）を閉じさせることを特徴とする用紙搬送装置（１０）である。
【００２５】
また、第３の発明は、上記した第２の発明の用紙搬送装置（１０）において、
前記第２用紙ガイド板（３２）は、前記第４用紙ガイド板（４２）に向かって押圧部（３２ｆ）が形成されていると共に、前記第４用紙ガイド板（４２）と対向して前記カム部（３２ｇ，３２ｈ）として凹曲線カム部（３２ｇ）と該凹曲線カム部（３２ｇ）の下方に連接して水平カム部（３２ｈ）とが形成されており、
更に、前記第４用紙ガイド板（４２）は、前記第２用紙ガイド板（３２）に向かって被押圧部（４２ｆ）が形成されており、
前記第２用紙ガイド板（３２）の閉じ動作に伴って、前記カムフォロワー（６２）が前記凹曲線カム部（３２ｇ）に接しているときに前記リンク部材（６１）を介して前記第４用紙ガイド板（４２）を閉じ方向に回動させるも、前記カムフォロワー（６２）が前記凹曲線カム部（３２ｇ）から前記水平カム部（３２ｈ）に接したときに前記リンク部材（６１）を介して前記第４用紙ガイド板（４２）の回動が一時停止され、その後、前記第２用紙ガイド板（３２）に形成した前記押圧部（３２ｆ）で前記第４用紙ガイド板（４２）に形成した前記被押圧部（４２ｆ）を押圧することで前記第４用紙ガイド板（４２）を閉じることを特徴とする用紙搬送装置（１０）である。
【発明の効果】
【００２６】
第１発明の用紙搬送装置によれば、第１用紙搬送路に沿って固定設置された第１用紙ガイド板と、第１用紙ガイド板と対向して回動可能に設置されて人手によって開閉操作される第２用紙ガイド板と、第１用紙搬送路よりも内側の第２用紙搬送路に沿って固定設置された第３用紙ガイド板と、第３用紙ガイド板と対向し且つ第２用紙ガイド板にも対向して回動可能に設置された第４用紙ガイド板と、第２用紙ガイド板と第４用紙ガイド板とを連動させる連動手段とを備えている。
【００２７】
この結果、第１，第２給紙部によって選択的に給紙された用紙を第１，第２用紙搬送路に沿って用紙搬送方向下流の共通用紙搬送路に向けて搬送する最中に、何らかの原因により用紙ジャムが発生した場合に、ユーザ（又はサービスマン）が第２用紙ガイド板を開くときの１動作により連動手段を介して第４用紙ガイド板を開いてジャム用紙を装置外に容易に取り出すことができるので、ジャム用紙除去に対して操作性が良好で、且つ、部品点数が少なく構造が簡単な用紙搬送装置を提供することができる。
【００２８】
また、第２用紙ガイド板を開いたときに第４用紙ガイド板が連動して開くので、第１用紙搬送路中で発生したジャム用紙は勿論のこと、第２用紙搬送路中で発生したジャム用紙が見え易いので、ユーザはいずれの用紙搬送路中に発生したジャム用紙を容易に取り出すことができる。
【００２９】
また、第２用紙ガイド板を開くときの開き角度を大きく設定できるので、ジャム用紙の除去時に人手が入り易くなる。
【００３０】
また、第２発明の用紙搬送装置によれば、連動手段を構成するリンク部材の一端側に形成した長孔内に第４用紙ガイド板に取り付けた連結部材をこの長孔の長手方向に移動可能に嵌め込ませている。
【００３１】
この結果、第２用紙ガイド板を閉じる動作に伴って、カムフォロワーが第２用紙ガイド板のカム部に沿って移動してリンク部材を回動させ、且つ、このリンク部材の回動と連動して連結部材を介して第４用紙ガイド板を回動させたときに、連結部材をリンク部材に形成した長孔内で移動させることにより、リンク部材の一端側の回動軌跡と、第４用紙ガイド板上に取り付けた連結部材の回動軌跡とのずれ量を、長孔とこの長孔内を移動する連結部材とにより吸収することができる。従って、複数のリンク部材を用いることなく、一つのリンク部材により第２用紙ガイド板と第４用紙ガイド板とを無理なく連動させることができる。
【００３２】
また、第３の発明の用紙搬送装置によれば、用紙ガイド板の閉じ動作に伴って、カムフォロワーが凹曲線カム部に接しているときにリンク部材を介して第４用紙ガイド板を閉じ方向に回動させるも、カムフォロワーが凹曲線カム部から水平カム部に接したときにリンク部材を介して第４用紙ガイド板の回動が一時停止され、その後、第２用紙ガイド板に形成した押圧部で第４用紙ガイド板に形成した被押圧部を押圧することで第４用紙ガイド板を閉じている。
【００３３】
この結果、とくに、リンク部材に取り付けたカムフォロワーが第２用紙ガイド板に形成した水平カム部に接しているときに、リンク部材が回動を一時停止しているために、リンク部材の一端部側が固定設置された第３用紙ガイド板に衝突することがない。また、リンク部材が回動を一時停止しているために、第２用紙ガイド板を例えばフレームに係止する際に係止が容易となる。
【図面の簡単な説明】
【００３４】
【図１】本発明に係る用紙搬送装置を適用した画像形成装置の外観を示した斜視図である。
【図２】本発明に係る用紙搬送装置の外観を示した斜視図である。
【図３】本発明に係る用紙搬送装置において、用紙搬送ガイド部のフレーム構成を示した斜視図である。
【図４】本発明に係る用紙搬送装置において、（ａ）は用紙搬送ガイド部が初期状態又は用紙搬送状態に至っている場合を示し、（ｂ）は用紙搬送ガイド部がジャム用紙除去状態に至っている場合をそれぞれ示した斜視図である。
【図５】本発明に係る用紙搬送装置において、用紙搬送ガイド部を説明するために模式的に示した図である。
【図６】図５に示した第１用紙ガイド板の形状を説明するための図である。
【図７】図５に示した第２用紙ガイド板の形状を説明するための図である。
【図８】図５に示した第３用紙ガイド板の形状を説明するための図である。
【図９】図５に示した第４用紙ガイド板の形状を説明するための図である。
【図１０】図５に示した共通用紙ガイド板の形状を説明するための図である。
【図１１】用紙搬送ガイド部の第１動作を模式的に示した図である。
【図１２】用紙搬送ガイド部の第２動作を模式的に示した図である。
【図１３】用紙搬送ガイド部の第３動作を模式的に示した図である。
【図１４】用紙搬送ガイド部の第４動作を模式的に示した図である。
【図１５】用紙搬送ガイド部の第５動作を模式的に示した図である。
【図１６】用紙搬送ガイド部の第６動作を模式的に示した図である。
【図１７】本発明に係る用紙搬送装置を一部変形させた変形例の用紙搬送装置の外観を示した斜視図である。
【図１８】従来のシート搬送装置を示した縦断面図である。
【発明を実施するための形態】
【００３５】
以下に本発明に係る用紙搬送装置を実施する形態につき、図１〜図１７を参照して詳細に説明する。
【００３６】
本発明に係る用紙搬送装置を説明する前に、この用紙搬送装置を適用した画像形成装置について、図１を用いて説明する。
【００３７】
（画像形成装置１）
図１は本発明に係る用紙搬送装置を適用した画像形成装置の外観を斜視的に示している。
【００３８】
図１に示す如く、本発明に係る用紙搬送装置を適用した画像形成装置１では、箱状に形成した装置筐体２の天面２ａ上に操作パネル３が取り付けられ、且つ、装置筐体２の正面側となる前面２ｂの外側左右に扉４，５が開閉自在に取り付けられている。
【００３９】
また、扉４，５の下方に本発明に係る用紙搬送装置１０の一部を構成する第１給紙部１１と第２給紙部１５とが下段と上段とに２段重ねで設けられている。
【００４０】
上記した下段の第１給紙部１１では、下段に設置した第１給紙トレイ１２が装置筐体２の前面２ｂ側に向かって引き出し方向（矢印Ｙ方向）に引き出し自在に設置されており、この第１給紙トレイ１２内に例えばＡ３サイズの用紙（Ｐ…図示せず）が複数枚積載されている。
【００４１】
一方、上記した上段の第２給紙部１５では、上段に設置した第２給紙トレイ１６が第１給紙トレイ１２の上方に重ねて装置筐体２の前面２ｂ側に向かって引き出し自在に設置されており、この第２給紙トレイ１６内に例えばＡ４サイズの用紙Ｐが複数枚積載されている。
【００４２】
また、第１給紙トレイ１２の用紙給紙方向の前方に用紙Ｐを内部給紙する給紙ローラＲｋ１（図５）を回転自在に取り付けた第１給紙機構部（１３…図示せず）が設けられ、同様に、第２給紙トレイ１６の用紙給紙方向（矢印Ｘ方向）の前方に用紙Ｐを内部給紙する給紙ローラＲｋ２（図５）を回転自在に取り付けた第２給紙機構部１７が設けられている。
【００４３】
そして、第１給紙トレイ１２及び第２給紙トレイ１６のうちいずれか一方を選択して、各給紙トレイ１２，１６内に積載された複数枚の用紙Ｐのうちで最上位の用紙Ｐを給紙方向（矢印Ｘ方向）に向かって給紙可能とされている。
【００４４】
また、装置筐体２の前面２ｂの外側左右に開閉自在に設けた扉４，５の内側には、用紙Ｐ上に画像を形成する画像形成部６が第１，第２給紙部１１，１５の上方に設置されている。
【００４５】
また、装置筐体２の左側面２ｃ側の内部上方部位には、画像形成部６から送られた画像形成済みの用紙Ｐを排紙する排紙部７を構成する排紙トレイ８が装置筐体２の外部に向かって突出形成されている。また、画像形成装置１を全体的に制御する制御部９が装置筐体２内の適宜な場所に設置されている。
【００４６】
更に、装置筐体２の左側面２ｃの内側には、本発明に係る用紙搬送装置１０を構成する用紙搬送ガイド部２０が設けられている。この用紙搬送ガイド部２０は、第１，第２給紙部１１，１５により選択的に給紙された用紙Ｐを、給紙方向（矢印Ｘ方向）から上方に向かう用紙搬送方向（矢印Ｚ方向）に方向転換しながら画像形成部６に搬送している。
【００４７】
そして、画像形成部６で印刷又は複写により画像形成された用紙Ｐは排紙部７の排紙トレイ８に順次積層されるように構成されている。
【００４８】
（用紙搬送装置１０）
図２は本発明に係る用紙搬送装置の外観を斜視的に示している。
また、図３は本発明に係る用紙搬送装置において、用紙搬送ガイド部のフレーム構成を斜視的に示している。また、図４は本発明に係る用紙搬送装置において、（ａ）は用紙搬送ガイド部が初期状態又は用紙搬送状態に至っている場合を示し、（ｂ）は用紙搬送ガイド部がジャム用紙除去状態に至っている場合をそれぞれ斜視的に示している。
【００４９】
図２に示す如く、本発明に係る用紙搬送装置１０は、第１，第２給紙部１１，１５と、用紙搬送ガイド部２０とで構成されている。
【００５０】
そして、本発明に係る用紙搬送装置１０は、第１，第２給紙部１１，１５により選択的に給紙された用紙Ｐを用紙搬送ガイド部２０内の第１，第２用紙搬送路ＰＰ１，ＰＰ２（図５）に沿って画像形成部６（図１）に向けて搬送するときに、用紙搬送ガイド部２０内の第１，第２用紙搬送路ＰＰ１，ＰＰ２中で用紙ジャムが発生した場合に、ジャム用紙ＪＰ｛図４（ｂ）｝を簡単な操作により装置筐体２（図２）の外側に容易に取り出させるように改善を施している。
【００５１】
この改善は、装置筐体２（図１）の左側面２ｃの下方に設けたサイドカバー付きの第２用紙ガイド板３２をユーザ又はサービスマン（以下、ユーザのみ記す）が開くときの１動作により、第２用紙ガイド板３２と連動手段６０（図５）を介して連動させた第４用紙ガイド板４２（図５）を開くことで、用紙搬送ガイド部２０内からジャム用紙ＪＰ｛図４（ｂ）｝を装置筐体２の外側に容易に取り出すことができるように構成されている。
【００５２】
即ち、本発明に係る用紙搬送装置１０では、装置筐体２（図１）の下方に第１給紙部１１の第１給紙トレイ１２が下段側に設置され、且つ、第１給紙部１１の上方に第２給紙部１５の第２給紙トレイ１６が第１給紙トレイ１２に対して重なり合って上段側に設置されている。そして、第１給紙トレイ１２の給紙方向（矢印Ｘ方向）の先端側は、第２給紙トレイ１６の先端側よりも左方に突出している。
【００５３】
また、用紙搬送ガイド部２０は、装置筐体２（図１）の前面内側と後面内側とに対応して設けた前側板２１と後側板２２との間に取り付けられている。
【００５４】
これらの前側板２１及び後側板２２は、板金材を用いて形成されており、且つ、用紙搬送方向（矢印Ｚ方向）と直交する用紙幅方向（矢印Ｗ方向）に沿って間隔を隔て互いに対向していると共に、用紙Ｐの幅寸法よりも間隔を広げて設けられている。
【００５５】
この際、図３に示す如く、前側板２１と後側板２２との間には、第１，第３用紙ガイド板３１，４１が下方と上方とに分かれて両側板２１，２２に固定して取り付けられている。
【００５６】
これらの第１，第３用紙ガイド板３１，４１は、板金材を用いて用紙幅方向（矢印Ｗ方向）に沿って長尺に形成され、且つ、用紙Ｐを搬送する駆動ローラＲａが用紙幅方向に沿って例えば２個が間隔を離して回転軸Ｓａに固着された状態で回転自在に支持されている。
【００５７】
また、第１，第３用紙ガイド板３１，４１の各下端で２個の駆動ローラＲａ間に切り欠き部３１ｄ，４１ｄが下方に向かって凹状にそれぞれ切り欠かれており、これらの切り欠き部３１ｄ，４１ｄは後述するようにジャム用紙ＪＰ｛図４（ｂ）｝を容易に除去するために形成されている。
【００５８】
また、駆動ローラＲａを用紙幅方向に沿って取り付けた回転軸Ｓａは、前側板２１と後側板２２との間に合計３本架け渡されており、第１用紙ガイド板３１側に１本横設され，第３用紙ガイド板４１側に２本横設されている。そして、第３用紙ガイド板４１側に横設した２本の回転軸Ｓａのうちで下方の一つの回転軸Ｓａは、前側板２１の外側前方に突出してこの端部に操作ノブＮが固着されている。
【００５９】
そして、操作ノブＮが固着された一つの回転軸Ｓａは、不図示のモータ及び減速歯車機構部とに連結されて各駆動ローラＲａを回転駆動していると共に、この一つの回転軸Ｓａの回転駆動力を後側板２２の外側に突出した他の２本の回転軸Ｓａに不図示のタイミングプーリ及びタイミングベルトを介して伝達している。
【００６０】
この際、ジャム用紙ＪＰ｛図４（ｂ）｝が発生したときに、ユーザが一つの回転軸Ｓａに固着した操作ノブＮを手動で回転することにより、各駆動ローラＲａを手動回転させてジャム用紙ＪＰを取り出し易くしている。
【００６１】
更に、上記した第１用紙ガイド板３１は、第１給紙トレイ１２（図１，図２）から給紙された用紙Ｐの一方の面をガイドする機能を有している。また、上記した第３用紙ガイド板４１は、第２給紙トレイ１６（図１，図２）から給紙された用紙Ｐの一方の面をガイドする機能を有している。
【００６２】
そして、前側板２１と後側板２２との間に第１，第３用紙ガイド板３１，４１を取り付けた状態で用紙搬送ガイド部２０のフレームＦＲが構成されている。
【００６３】
図２に戻り、用紙搬送ガイド部２０は、装置筐体２（図１）の左側面２ｃの下方にサイドカバー付きの第２用紙ガイド板３２が回動可能に設けられている。この第２用紙ガイド板３２は先に説明した第１用紙ガイド板３１（図３）と対向して第１給紙トレイ１２から給紙された用紙Ｐの他方の面をガイドする機能を有している。
【００６４】
また、第２用紙ガイド板３２のサイドカバー部３２ａに貫通して形成した角孔３２ａ１内には、この第２用紙ガイド板３２を開閉するための操作レバー３４が取り付けられている。
【００６５】
この操作レバー３４は、後述する係止レバー３６（図５）を取り付けた回動軸３５（図５）に同軸的に取り付けられて、係止レバー３６と一体に回動可能になっており、ユーザが操作レバー３４を手前に向かって回動させると係止レバー３６がフレームＦＲ（図３）側から係止を解除されるようになっている。
【００６６】
そして、図４（ａ）に示す如く、第２用紙ガイド板３２が閉じられているときには、用紙搬送ガイド部２０が初期状態に至っている場合、又は、用紙搬送ガイド部２０が用紙搬送状態に至っている場合である。
【００６７】
この際、用紙搬送ガイド部２０が初期状態のときは、第１，第２給紙部１１，１５（図１，図２）から用紙Ｐが送られていない場合であり、一方、用紙搬送状態のときは、第１，第２給紙部１１，１５から選択的に送られた用紙Ｐが画像形成部６（図１）に向かって搬送される場合である。
【００６８】
また、図４（ｂ）に示す如く、ユーザによって第２用紙ガイド板３２を開いたときには、用紙搬送ガイド部２０の内部が大きく開口されるので、用紙搬送路中で発生したジャム用紙ＪＰをユーザが容易に取り出すことができるようになっている。
【００６９】
＜用紙搬送ガイド部２０＞
ここで、用紙搬送ガイド部２０について、図５を用いて説明する。
【００７０】
図５（ａ）〜（ｃ）は用紙搬送ガイド部を説明するために模式的に示しており、且つ、用紙搬送ガイド部が初期状態又は用紙搬送状態に至っているときを示している。
尚、図５（ａ）は図３に示したフレーム中の前側板を取り外して見た状態を模式的に示している。
【００７１】
図５（ａ）に示す如く、下段に設置された第１給紙部１１の第１給紙トレイ１２の給紙方向（矢印Ｘ方向）の下流側には、第１用紙搬送路（ペーパーパス1）ＰＰ１に沿ってフレームＦＲ（図３）に固定設置された第１用紙ガイド板３１と、第１用紙搬送路ＰＰ１を挟んで第１用紙ガイド板３１と対向して第１回動軸３３を中心にして回動可能に設置され、且つ、人手Ｈ（図１１）によって開閉操作される第２用紙ガイド板３２とが設けられている。
【００７２】
一方、上段に設置された第２給紙部１５の第２給紙トレイ１６の給紙方向（矢印Ｘ方向）の下流側には、第１用紙搬送路ＰＰ１よりも内側に設定された第２用紙搬送路ＰＰ２に沿ってフレームＦＲ（図３）に固定設置された第３用紙ガイド板４１と、第２用紙搬送路ＰＰ２を挟んで第３用紙ガイド板４１の上流側と対向し、且つ、第２用紙ガイド板３２にも対向して第２回動軸４３を中心にして回動可能に設置された第４用紙ガイド板４２とが設けられている。
【００７３】
また、第２用紙ガイド板３２の開閉動作に連動して第４用紙ガイド板４２を開閉させる連動手段６０が設けられている。この連動手段６０は本実施形態の要部の一部を構成する部材であり、この連動手段６０については後述する。
【００７４】
更に、第３用紙ガイド板４１の下流及び第４用紙ガイド板４２よりも下流には、第３用紙ガイド板４１の下流側と対向して共通用紙ガイド板５１が共通用紙搬送路Ｐｋを挟んで設けられている。
【００７５】
この際、用紙搬送ガイド部２０の初期状態及び用紙搬送状態では、互い対向した第１，第２用紙ガイド板３１，３２間に設定された第１用紙搬送路ＰＰ１の間隔、及び、互い対向した第３，第４用紙ガイド板４１，４２間に設定された第２用紙搬送路ＰＰ２の間隔は、それぞれ所定の値に設定されている。
【００７６】
また、第２用紙ガイド板３２が第１回動軸３３を中心にして時計方向に回動して閉じているときに、第２用紙ガイド板３２に取り付けた従動ローラＲｂが、不図示のバネの付勢力により第１用紙ガイド板３１に取り付けた駆動ローラＲａを押圧している。
【００７７】
一方、第２用紙ガイド板３２が閉じているときに、第４用紙ガイド板４２に取り付けた従動ローラＲｂも、不図示のバネの付勢力により第３用紙ガイド板４１に取り付けた駆動ローラＲａを押圧している。
【００７８】
更に、共通用紙ガイド板５１に取り付けた従動ローラＲｂも、不図示のバネの付勢力により第３用紙ガイド板４１に取り付けた駆動ローラＲａを押圧している。
【００７９】
そして、下段に設置した第１給紙トレイ１２から給紙ローラＲｋ１により給紙された用紙Ｐ１（Ｐ）は、第１，第２用紙ガイド板３１，３２間に設定された第１用紙搬送路ＰＰ１に沿って用紙搬送方向下流の共通用紙搬送路Ｐｋに向かって搬送され、この後、画像形成部６（図１）に送られている。
【００８０】
一方、上段に設置した第２給紙トレイ１６から給紙ローラＲｋ２により給紙された用紙Ｐ２（Ｐ）は、第３，第４用紙ガイド板４１，４２間に設定された第２用紙搬送路ＰＰ２に沿って用紙搬送方向下流の共通用紙搬送路Ｐｋに向かって搬送され、この後、画像形成部６（図１）に送られている。
【００８１】
従って、共通用紙搬送路Ｐｋは、第１給紙トレイ１２からの用紙Ｐ１と、第２給紙トレイ１６からの用紙Ｐ２とが選択的に通過するようになっている。
【００８２】
ここで、本実施形態の要部の一部を構成する連動手段６０について説明する。
【００８３】
上記した連動手段６０は、図５（ａ）〜（ｃ）に示す如く、第２用紙ガイド板３２に形成したカム部（３２ｇ，３２ｈ）と、第４用紙ガイド板４２に取り付けた連結部材（移動駒）４４と、第２用紙ガイド板３２と第４用紙ガイド板４２との間に設置した軸２４に回動可能に軸支されており、軸２４を介した一端側に形成した長孔（長方形孔）６１ａ内に連結部材４４がこの長孔６１ａの長手方向に移動可能に嵌め込まれていると共に、軸２４介した他端側にカム部（３２ｇ，３２ｈ）に接離するカムフォロワー６２を取り付けたリンク部材６１とを具備している。
【００８４】
具体的に説明すると、連動手段６０は、回動可能な第２用紙ガイド板３２と、回動可能な第４用紙ガイド板４２とをリンク部材６１を介して連動させるように構成されている。
【００８５】
このリンク部材６１は、図５（ｃ）にも示したように、く字型アーム状に形成されており、且つ、前側板２１（図３）の内面に取り付けた軸２４に回動自在に軸支されている。
【００８６】
また、リンク部材６１は、軸２４を介した一端側に長方形孔６１ａが貫通して形成されており、且つ、軸２４を介した他端側にカムフォロワー６２が取り付けられている。
【００８７】
また、リンク部材６１の一端側に形成した長方形孔６１ａ内には、第４用紙ガイド板４２に取り付けた連結部材４４がこの長方形孔６１ａの長手方向に沿って移動可能に嵌め込まれている。
【００８８】
この実施形態では、連結部材４４の一例として正方形状の移動駒４４を用いているが、移動駒に代えて連結ピンを用いても良い。
【００８９】
上記した連結部材（以下、移動駒と記す）４４は、リンク部材６１の一端側に形成した長方形孔６１ａ内に移動可能に嵌め込まれた正方形状の駒が、この１辺の長さを長方形孔６１ａの短辺の長さに対応させて形成されており、且つ、駒の中心部位にシャフトが一体的に固着されて、このシャフト側が第４用紙ガイド板４２の一方の側面４２ｄ｛図９（ｃ）｝に取り付けられている。
【００９０】
一方、リンク部材６１の他端側に取り付けたカムフォロワー６２は、図５（ｂ）にも示すように、第２用紙ガイド板３２の一方の内側面３２ｄの上方部位に形成された凹曲線カム部３２ｇと、この凹曲線カム部３２ｇの下方に連接して形成された水平カム部３２ｈとに接離可能に転動している。
【００９１】
尚、第２用紙ガイド板３２の一方の内側面３２ｄ及び他方の内側面３２ｅ（図７）は、第２用紙ガイド板３２のサイドカバー部３２ａの用紙幅方向の寸法よりも内側に入り込んでいるので内側面と以下呼称する。
【００９２】
従って、後述の動作で説明するように、ユーザが第２用紙ガイド板３２を閉じる動作に伴って、カムフォロワー６２が第２用紙ガイド板３２の凹曲線カム部３２ｇに沿って移動してリンク部材６１を回動させ、且つ、このリンク部材６１の回動と連動して移動駒４４を介して第４用紙ガイド板４２を回動させたときに、移動駒４４をリンク部材６１に形成した長方形孔６１ａ内で移動させることにより、リンク部材６１の一端側の回動軌跡と、第４用紙ガイド板４２上の移動駒４４の回動軌跡とのずれ量を、長方形孔６１ａとこの長方形孔６１ａ内を移動する移動駒４４とにより吸収することができる。
【００９３】
従って、複数のリンク部材を用いることなく、一つのリンク部材６１により第２用紙ガイド板３２と第４用紙ガイド板４２とを無理なく連動させることができる。
【００９４】
また、第２用紙ガイド板３２には、第４用紙ガイド板４２に向かって押圧部３２ｆが形成されており、これと対応して、第４用紙ガイド板４２には、第２用紙ガイド板３２に向かって被押圧部４２ｆが形成されているが、第２用紙ガイド板３２の押圧部３２ｆで第４用紙ガイド板４２の被押圧部４２ｆを押圧する動作については後述する。
【００９５】
また、第２用紙ガイド板３２のサイドカバー部３２ａの裏面３２ｂには、用紙幅方向に沿って長尺に形成された回動軸３５が図３に示した前側板２１側及び後側板２２側に向かって取り付けられている。
【００９６】
この回動軸３５の両端部には、図５（ｂ）に拡大して示す如く、図３に示した前側板２１側及び後側板２２側と対応して一対の係止レバー３６（片側のみ図示）が回動可能に取り付けられており、且つ、各係止レバー３６のフック部３６ａが前側板２１及び後側板２２の各内面に取り付けた一対の係止ピン２３（片側のみ図示）に接離自在に係止している。
【００９７】
また、回動軸３５には、前述したように、第２用紙ガイド板３２のサイドカバー部３２ａに形成した角孔３２ａ１内に臨んでいる操作レバー３４が取り付けられている。
【００９８】
ここで、用紙搬送ガイド部２０内に設けた複数の用紙ガイド板の各形状について、図６〜図１０を用いて説明する。
【００９９】
図６〜図９は第１〜第４用紙ガイド板の形状をそれぞれ示している。また、図１０は共通用紙ガイド板の形状を示している。
【０１００】
＜第１用紙ガイド板３１＞
図６（ａ）〜（ｅ）に示した第１用紙ガイド板３１は、図３に示した前側板２１及び後側板２２の各下方部位に固定されており、下段に設置した第１給紙トレイ１２｛図５（ａ）｝からの用紙Ｐ１の一方の面をガイドする機能を有している。
【０１０１】
この第１用紙ガイド板３１は、板金材を用いて用紙幅方向（矢印Ｗ方向）に沿って長尺に形成されており、且つ、用紙Ｐをガイドする表面３１ａ側が用紙搬送方向（矢印Ｚ方向）に沿って凸曲面状に形成されている。
【０１０２】
また、第１用紙ガイド板３１は、裏面３１ｂ側から表面３１ａ側に向かって駆動ローラＲａ（図３）が臨む矩形孔３１ｃが用紙幅方向に沿う同一軸線上に２箇所貫通して形成されている。
【０１０３】
また、第１用紙ガイド板３１は、２箇所の矩形孔３１ｃ間に切り欠き部３１ｄが下方に向かって凹状に切り欠かれている。この切り欠き部３１ｄは、ジャム用紙ＪＰ｛図４（ｂ）｝が発生したときに、人手でジャム用紙ＪＰをつかみ易くしていると共に、第２用紙搬送路ＰＰ２（図５）中に発生したジャム用紙ＪＰを見ることかできる。
【０１０４】
＜第２用紙ガイド板３２＞
図７（ａ）〜（ｇ）に示した第２用紙ガイド板３２は、第１用紙ガイド板３１と対向して下方に設けた第１回動軸３３に回動可能に支持されており、下段に設置した第１給紙トレイ１２｛図５（ａ）｝からの用紙Ｐ１の他方の面をガイドする機能を有している。
【０１０５】
この第２用紙ガイド板３２は、剛性を有する樹脂材を用いて用紙幅方向（矢印Ｗ方向）に沿って長尺に形成されており、サイドカバー部３２ａが外装面として平坦に形成されている。
【０１０６】
また、第２用紙ガイド板３２は、用紙Ｐをガイドする裏面３２ｂ側が、第１用紙ガイド板３１に形成された凸曲面状の表面３１ａ（図６）と対応して用紙搬送方向（矢印Ｚ方向）に沿って凹曲面状に形成されている。
【０１０７】
また、第２用紙ガイド板３２は、従動ローラＲｂが臨む矩形孔３２ｃが用紙幅方向に沿う同一軸線上に２箇所形成されており、且つ、２箇所の矩形孔３２ｃは有底孔として形成されている。
【０１０８】
尚、第２用紙ガイド板３２のサイドカバー部３２ａの下方には、下サイドカバー３７が垂下した様態で取り付けられている。
【０１０９】
また、図７（ａ），（ｃ），（ｆ）に示す如く、第２用紙ガイド板３２のサイドカバー部３２ａに形成した角孔３２ａ１内には先に説明した操作レバー３４が取り付けられており、この操作レバー３４は図７（ｅ），（ｇ）に示した一対の係止レバー３６と一体に回動可能になっている。
【０１１０】
また、第２用紙ガイド板３２は、図７（ｂ），（ｅ），（ｇ）に示す如く、一方の内側面３２ｄ及び他方の内側面３２ｅの各上方先端部位に一対の押圧部３２ｆが形成されており、これら一対の押圧部３２ｆは第４用紙ガイド板４２に形成した一対の被押圧部４２ｆ｛図９（ｃ），（ｄ），（ｇ）｝に接離自在になっている。
【０１１１】
また、第２用紙ガイド板３２は、図７（ｂ），（ｅ）に示す如く、一方の内側面３２ｄの上方先端部位に形成した押圧部３２ｆの下方に、凹曲線カム部３２ｇと水平カム部３２ｈとが連接して形成されており、且つ、一方の内側面３２ｄと用紙幅方向に沿って間隔を離して対向した他方の内側面３２ｅにはカム部が形成されていない。
【０１１２】
＜第３用紙ガイド板４１＞
図８（ａ）〜（ｅ）に示した第３用紙ガイド板４１は、図３に示した前側板２１及び後側板２２の各上方部位に固定されており、上段に設置した第２給紙トレイ１６｛図５（ａ）｝からの用紙Ｐ２の一方の面をガイドする機能を有している。
【０１１３】
この第３用紙ガイド板４１は、板金材を用いて用紙幅方向（矢印Ｗ方向）に沿って長尺に形成されており、且つ、用紙Ｐをガイドする表面４１ａ側が用紙搬送方向（矢印Ｚ方向）に沿って凸曲面状に形成されている。
【０１１４】
また、第３用紙ガイド板４１は、裏面４１ｂ側から表面４１ａ側に向かって駆動ローラＲａ（図３）が臨む矩形孔４１ｃが用紙幅方向に沿う上下同一軸線上にそれぞれ２箇所ずつ貫通して形成されている。
【０１１５】
また、第３用紙ガイド板４１は、下方に形成した２箇所の矩形孔４１ｃ間に切り欠き部４１ｄが下方に向かって凹状に切り欠かれており、この切り欠き部４１ｄもジャム用紙ＪＰ｛図４（ｂ）｝が発生したときに、人手でジャム用紙ＪＰをつかみ易くしている。
【０１１６】
＜第４用紙ガイド板４２＞
図９（ａ）〜（ｇ）に示した第４用紙ガイド板４２は、第３用紙ガイド板４１の上流側と対向して下方に設けた第２回動軸４３に回動可能に支持されており、上段に設置した第２給紙トレイ１６｛図５（ａ）｝からの用紙Ｐ２の他方の面をガイドする機能を有している。
【０１１７】
この第４用紙ガイド板４２は、剛性を有する樹脂材を用いて用紙幅方向（矢印Ｗ方向）に沿って長尺に形成されており、図９（ｃ）に拡大して示す如く、表面４２ａ側が下段に設置した第１給紙トレイ１２｛図５（ａ）｝からの用紙Ｐ１の一方の面が接するのを許容するように滑らかに形成されている。また、用紙Ｐをガイドする裏面４２ｂ側が、第３用紙ガイド板４１に形成された凸曲面状の表面４１ａ（図６）と対応して用紙搬送方向（矢印Ｚ方向）に沿って凹曲面状に形成されている。
【０１１８】
また、第４用紙ガイド板４２は、従動ローラＲｂが臨む矩形孔４２ｃが用紙幅方向に沿う同一軸線上に２箇所形成されており、且つ、２箇所の矩形孔４２ｃは有底孔として形成されている。
【０１１９】
また、第４用紙ガイド板４２は、図９（ｃ）に拡大して示す如く、一方の側面４２ｄの上方部位にリンク部材６１（図５）と連結するための移動駒４４のシャフトが外側に向かって取り付けられている。
【０１２０】
従って、第４用紙ガイド板４２の一方の側面４２ｄには、下方の第２回動軸４３と、上方の移動駒４４のシャフトとで２つの軸を有している。
【０１２１】
また、第４用紙ガイド板４２は、図９（ｃ），（ｄ），（ｇ）に示す如く、一方の側面４２ｄ及び他方の側面４２ｅの各上方部位に一対の被押圧部４２ｆが形成されており、且つ、一対の被押圧部４２ｆが前述した第２用紙ガイド板３２の一方の内側面３２ｄ及び他方の内側面３２ｅの各上方先端部位に形成した一対の押圧部３２ｆ｛図７（ｂ），（ｅ）｝によって接離自在に押圧されるようになっている。
【０１２２】
＜共通用紙ガイド板５１＞
図１０（ａ）〜（ｆ）に示した共通用紙ガイド板５１は、第３用紙ガイド板４１の下流側と対向して固定設置されており、第１，第２給紙トレイ１２，１６｛図５（ａ）｝からの各用紙Ｐ１，Ｐ２の他方の面を共通してガイドする機能を有している。
【０１２３】
この共通用紙ガイド板５１は、剛性を有する樹脂材を用いて用紙幅方向（矢印Ｗ方向）に沿って長尺に形成されており、且つ、表面５１ａ側に補強用のリブ５１ａ１が縦横に複数形成されていると共に、用紙Ｐをガイドする裏面５１ｂ側が用紙搬送方向（矢印Ｚ方向）に沿って略直線状に平坦に形成されている。
【０１２４】
また、共通用紙ガイド板５１は、従動ローラＲｂが臨む矩形孔５１ｃが用紙幅方向に沿う同一軸線上に２箇所形成されており、且つ、２箇所の矩形孔５１ｃは有底孔として形成されている。
【０１２５】
次に、上記のように構成した用紙搬送ガイド部２０の動作について、図１１〜図１６を用いて動作順に説明する。
【０１２６】
＜用紙搬送ガイド部２０の動作＞
図１１〜図１６は用紙搬送ガイド部の動作を説明するために模式的に示した第１〜第６動作図である。尚、図１１〜図１６は第１，第２給紙トレイの図示を省略して、図３に示したフレーム中の前側板を取り外して見た状態を示している。
【０１２７】
ここで、用紙搬送ガイド部２０内において、先に図５を用いて説明したように、下段の第１給紙トレイ１２から給紙された用紙Ｐ１（Ｐ）を第１用紙搬送路ＰＰ１及び共通用紙搬送路Ｐｋを通って画像形成部６（図１）に搬送する最中、又は、上段の第２給紙トレイ１６から給紙された用紙Ｐ２（Ｐ）を第２用紙搬送路ＰＰ２及び共通用紙搬送路Ｐｋを通って画像形成部６（図１）に搬送する最中に、用紙Ｐ１又は用紙Ｐ２の搬送状態を用紙搬送装置１０内に設けた不図示の光センサを介して制御部９（図１）で監視している。
【０１２８】
そして、用紙Ｐ１又は用紙Ｐ２が不図示の光センサに至るまでに所定の用紙搬送時間よりもオーバーした場合に、制御部９は用紙ジャムが発生したと判断してユーザに警告を出している。
【０１２９】
これに伴って、ユーザは用紙搬送装置１０内からジャム用紙ＪＰ｛図４（ｂ）｝を取り出すためにジャム用紙除去動作を第１動作〜第６動作の順に実行している。
【０１３０】
まず、図１１に示した第１動作は、第２用紙ガイド板３２を開いてジャム用紙ＪＰを人手Ｈで取り外す状態を示している。
【０１３１】
即ち、図１１に示す如く、先に図５に示した状態からユーザが第２用紙ガイド板３２のサイドカバー部３２ａに取り付けた操作レバー３４を係止レバー３６と一体に回動軸３５を中心にして時計方向に回動させると、係止レバー３６のフック部３６ａが前側板２１（図３）の内面に取り付けた係止ピン２３から係止を解除される。
【０１３２】
この係止レバー３６の係止ピン２３への係止解除に伴って、第２用紙ガイド板３２は自重により第１回動軸３３を中心にして反時計方向に回動して下方に向かって開く。このとき、第２用紙ガイド板３２は、前側板２１（図３）の内面に取り付けたストッパ２５によって開き位置が規制される。
【０１３３】
また、第２用紙ガイド板３２の開き動作に伴って、連動手段６０のリンク部材６１に取り付けたカムフォロワー６２が、第２用紙ガイド板３２の一方の内側面３２ｄに形成した水平カム部３２ｈから離間する。
【０１３４】
従って、第２用紙ガイド板３２の開き角度を大きく設定することができ、ジャム用紙ＪＰの除去時に人手Ｈが入り易くなる。
【０１３５】
また、第２用紙ガイド板３２からリンク部材６１が離れる動作に伴って、リンク部材６１の一端側に形成した長方形孔６１ａ内で第４用紙ガイド板４２に取り付けた移動駒４４を介して連結された第４用紙ガイド板４２は、自重により第２回動軸４３を中心にして反時計方向に回動して開かれて、不図示のストッパによって開き位置が規制されている。この時、移動駒４４は長方形孔６１ａ内の右端側に位置している。
【０１３６】
これにより、第１，第２用紙ガイド板３１，３２間に設定された第１用紙搬送路ＰＰ１と、第３，第４用紙ガイド板４１，４２間に設定された第２用紙搬送路ＰＰ２とが共に解放されるために、第１用紙搬送路ＰＰ１又は第２用紙搬送路ＰＰ２中で発生したジャム用ＪＰを人手Ｈで容易に取り出すことができるので、ジャム用紙除去に対して操作性が良好で、且つ、部品点数が少なく構造が簡単な用紙搬送装置１０を提供することができる。
【０１３７】
また、第２用紙ガイド板３２を開いたときに第４用紙ガイド板４２が連動して開くので、第１用紙搬送路ＰＰ１中に発生したジャム用紙ＪＰは勿論のこと、第２用紙搬送路ＰＰ２中で発生したジャム用紙ＪＰが第１用紙ガイド板３１に形成した切り欠き部３１ｄ（図３，図６）を通して見え易いので、ユーザはいずれの用紙搬送路（ＰＰ１，ＰＰ２）中に発生したジャム用紙ＪＰを容易に取り出すことができる。
【０１３８】
次に、図１２に示した第２動作は、ユーザがジャム用紙ＪＰ（図１１）を除去した後に、第２用紙ガイド板３２を閉じ始めた状態を示している。
【０１３９】
即ち、図１２に示す如く、ユーザが第２用紙ガイド板３２を閉じ方向に押し始めると、第２用紙ガイド板３２が第１回動軸３３を中心にして時計方向に回動を開始する。これにより、連動手段６０のリンク部材６１に取り付けたカムフォロワー６２が第２用紙ガイド板３２の一方の内側面３２ｄに形成した凹曲線カム部３２ｇに接触し始めて、リンク部材６１が軸２４を中心にして反時計方向に回動し始める。
【０１４０】
これに伴って、リンク部材６１に形成した長方形孔６１ａ内で第４用紙ガイド板４２に取り付けた移動駒４４を介して連結された第４用紙ガイド板４２が、第２回動軸４３を中心にして時計方向に回動を開始する。この時も、図１１と同様に、移動駒４４は長方形孔６１ａ内の右端側に位置している。
【０１４１】
次に、図１３に示した第３動作は、第２用紙ガイド板３２を閉じている最中に、第４用紙ガイド板４２が回動を一時停止する状態を示している。
【０１４２】
即ち、図１３に示す如く、ユーザが第２用紙ガイド板３２を第１回動軸３３を中心にして図１２よりも更に時計方向に回動させると、連動手段６０のリンク部材６１に取り付けたカムフォロワー６２が第２用紙ガイド板３２の一方の内側面３２ｄに形成した凹曲線カム部３２ｇに沿って下方に移動した後に、この凹曲線カム部３２ｇに連接形成した水平カム部３２ｈに接触し始める。
【０１４３】
そして、カムフォロワー６２が水平カム部３２ｈに接しているときに、リンク部材６１に形成した長方形孔６１ａ内で第４用紙ガイド板４２に取り付けた移動駒４４を介して連結された第４用紙ガイド板４２が、回動を一時停止する。この時、移動駒４４は長方形孔６１ａ内の右端側から左方に移動している。
【０１４４】
次に、図１４に示した第４動作は、第２用紙ガイド板３２を閉じている最中に、第２用紙ガイド板３２で第４用紙ガイド板４２を閉じ方向（右方）に押し始める状態を示している。
【０１４５】
即ち、図１４に示す如く、ユーザが第２用紙ガイド板３２を第１回動軸３３を中心にして図１３よりも更に時計方向に回動させると、第２用紙ガイド板３２のサイドカバー部３２ａが略垂直な姿勢を取る。
【０１４６】
この際、連動手段６０のリンク部材６１に取り付けたカムフォロワー６２は、第２用紙ガイド板３２の一方の内側面３２ｄに形成した水平カム部３２ｈに沿って左方に移動するも、第４用紙ガイド板４２は回動を停止したままの状態であるので、移動駒４４は長方形孔６１ａ内で図１３の状態と略同じ位置にいる。
【０１４７】
これにより、リンク部材６１に取り付けたカムフォロワー６２が第２用紙ガイド板３２に形成した水平カム部３２ｈに接しているときに、リンク部材６１が回動を一時停止しているために、リンク部材６１の一端部側が固定設置された第３用紙ガイド板４１に衝突することがない。
【０１４８】
そして、第２用紙ガイド板３２の一方の内側面３２ｄの上方先端部位に形成した押圧部３２ｆが、第４用紙ガイド板４２に形成した被押圧部４２ｆを押圧し始めると、第２用紙ガイド板３２に取り付けた係止レバー３６のフック部３６ａが前側板２１（図３）の内面に取り付けた係止ピン２３に係止される。この際、リンク部材６１が回動を一時停止しているために、第２用紙ガイド板３２をフレームＦＲ（図３）に係止する際に係止レバー３６の係止ピン２３への係止が容易となる。
【０１４９】
次に、図１５に示した第５動作は、第２用紙ガイド板３２を閉じている最中に、第２用紙ガイド板３２で第４用紙ガイド板４２を更に右方に押し込む状態を示している。
【０１５０】
即ち、図１５に示す如く、ユーザが第２用紙ガイド板３２を第１回動軸３３を中心にして図１４よりも更に時計方向に回動させて、第２用紙ガイド板３２に形成した押圧部３２ｆで第４用紙ガイド板４２に形成した被押圧部４２ｆを更に押し込む。
【０１５１】
これにより、第４用紙ガイド板４２が第２回動軸４３を中心にして時計方向に再び回動するが、連動手段６０のリンク部材６１の一端側の回動軌跡と、第４用紙ガイド板４２上に取り付けた移動駒４４の回動軌跡とのずれ量を、長方形孔６１ａとこの長方形孔６１ａ内を移動する移動駒４４とにより吸収することができる。従って、第２用紙ガイド板３２と第４用紙ガイド板４２とを無理なく連動させることができる。
【０１５２】
また、第２用紙ガイド板３２の第４用紙ガイド板４２への押し込み動作により、係止レバー３６のフック部３６ａと係止ピン２３との間に隙間Ｓが生じる。
【０１５３】
更に、リンク部材６１上のカムフォロワー６２は水平カム部３２ｈに接したままの状態である。
【０１５４】
次に、図１６に示した第６動作は、第２用紙ガイド板３２が完全に閉じられた状態を示している。
【０１５５】
即ち、図１６に示す如く、第２用紙ガイド板３２で第４用紙ガイド板４２を押し込んだ後に、駆動ローラＲａと従動ローラＲｂとからの反力により第２用紙ガイド板３２が左方に押し戻されるので、第４用紙ガイド板４２に形成した被押圧部４２ｆは第２用紙ガイド板３２に形成した押圧部３２ｆに追従する。
【０１５６】
この第２用紙ガイド板３２が左方に押し戻される動作に伴って、係止レバー３６のフック部３６ａと係止ピン２３との間に隙間Ｓ（図１５）がなくなり、第２用紙ガイド板３２が係止ピン２３に確実に係止される。
【０１５７】
更に、連動手段６０のリンク部材６１上のカムフォロワー６２は水平カム部３２ｈに接したままの状態であり、且つ、第４用紙ガイド板４２上の移動駒４４はリンク部材６１の長方形孔６１ａ内の右方で余裕を持って遊嵌している。
【０１５８】
これにより、用紙搬送ガイド部２０内において、第１，第２用紙搬送路ＰＰ１，ＰＰ２の各間隔が当初の値に戻るので、図５を用いて説明したと同様の初期状態に戻る。
【０１５９】
（変形例の用紙搬送装置）
図１７は本発明に係る用紙搬送装置を一部変形させた変形例の用紙搬送装置の外観を斜視的に示している。
【０１６０】
図１７に示した変形例の用紙搬送装置７０、先に図２を用いて説明した本発明に係る用紙搬送装置１０に対して給紙部が１ユニット増加して給紙トレイが３台設置されている点が異なるだけであるので、ここでは簡略に説明する。
【０１６１】
上記した変形例の用紙搬送装置７０では、装置筐体２（図１）の下方に第１給紙部１１の第１給紙トレイ１２が下段に設置され、且つ、第１給紙部１１の上方に第２給紙部１５の第２給紙トレイ１６が第１給紙トレイ１２に対して重なり合って中段に設置され、更に、第２給紙部１５の上方に第３給紙部７１の第３給紙トレイ７２が第２給紙トレイ１６に対して重なり合って上段に設置されている。
【０１６２】
そして、第１給紙トレイ１２の給紙方向の先端側は、第２給紙トレイ１６の先端側よりも左方に突出していると共に、第２給紙トレイ１６の先端側は第３給紙トレイ７２の先端側よりも左方に突出しているので、第１給紙トレイ１２の先端側が最も左方に位置している。
【０１６３】
また、この変形例でも用紙搬送ガイド部２０は、装置筐体２（図１）の前面内側と後面内側とに対応して設けた前側板２１と後側板２２との間に取り付けられている。この用紙搬送ガイド部２０は、第１給紙部１１の第１給紙トレイ１２と、第２給紙部１５の第２給紙トレイ１６とに対応させているので、先に図５を用いて説明した用紙搬送ガイド部２０と同じである。
【０１６４】
一方、第３給紙部７１の第３給紙トレイ７２に対応して第３用紙搬送路（図示せず）が別途設定されているので、この第３用紙搬送路中で用紙ジャムが発生した場合には用紙搬送ガイド部２０とは別途設置した用紙搬送ガイド部（図示せず）で対応している。
【０１６５】
従って、本発明に係る用紙搬送装置１０及び変形例の用紙搬送装置７０は、共に第１，第２給紙トレイ１２，１６を設置した例に対応できるものである。
【符号の説明】
【０１６６】
１…画像形成装置、２…装置筐体、６…画像形成部、７…排紙部、９…制御部、
１０…用紙搬送装置、
１１…第１給紙部、１２…第１給紙トレイ、（１３）…第１給紙機構部、
１５…第２給紙部、１６…第２給紙トレイ、１７…第２給紙機構部、
２０…用紙搬送ガイド部、２１…前側板、２２…後側板、２３…係止ピン、
２４…軸、２５…ストッパ、
３１…第１用紙ガイド板、３１ａ…表面、３１ｂ…裏面、３１ｃ…矩形孔、
３１ｄ…切り欠き部、
３２…第２用紙ガイド板、３２ａ…サイドカバー部、３２ａ１…角孔、３２ｂ…裏面、
３２ｃ…矩形孔、３２ｄ…一方の内側面、３２ｅ…他方の内側面、３２ｆ…押圧部、
３２ｇ…凹曲線カム部、３２ｈ…水平カム部、
３３…第１回動軸、３４…操作レバー、３５…回動軸、
３６…係止レバー、３６ａ…フック部、３７…下サイドカバー、
４１…第３用紙ガイド板、４１ａ…表面、４１ｂ…裏面、４１ｃ…矩形孔、
４１ｄ…切り欠き部、
４２…第４用紙ガイド板、４２ａ…表面、４２ｂ…裏面、４２ｃ…矩形孔、
４２ｄ…一方の側面、４２ｅ…他方の側面、４３ｆ…被押圧部、
４３…第２回動軸、４４…連結部材（移動駒）、
５１…共通用紙ガイド板、５１ａ…表面、５１ｂ…裏面、５１ｃ…矩形孔、
６０…連動手段、６１…リンク部材、６１ａ…長孔（長方形孔）、
６２…カムフォロワー、
７０…変形例の用紙搬送装置、７１…第３給紙部、７２…第３給紙トレイ、
ＦＲ…フレーム、Ｒａ…駆動ローラ、Ｒｂ…従動ローラ、Ｓａ…回転軸、
Ｈ…人手、Ｎ…操作ノブ、
Ｐ（Ｐ１，Ｐ２）…用紙、ＪＰ…ジャム用紙、
ＰＰ１…第１用紙搬送路、ＰＰ２…第２用紙搬送路、Ｐｋ…共通用紙搬送路。
【図１】
0006389746.tif 000002
【図２】
0006389746.tif 000003
【図３】
0006389746.tif 000004
【図４】
0006389746.tif 000005
【図５】
0006389746.tif 000006
【図６】
0006389746.tif 000007
【図７】
0006389746.tif 000008
【図８】
0006389746.tif 000009
【図９】
0006389746.tif 000010
【図１０】
0006389746.tif 000011
【図１１】
0006389746.tif 000012
【図１２】
0006389746.tif 000013
【図１３】
0006389746.tif 000014
【図１４】
0006389746.tif 000015
【図１５】
0006389746.tif 000016
【図１６】
0006389746.tif 000017
【図１７】
0006389746.tif 000018
【図１８】
0006389746.tif 000019